(57)【要約】      （修正有） 【課題】人が集まる場所において人のいる時やいない時に広い範囲に対して消毒液の噴霧を可能とすると共に更にピンポイントで必要個所に対して消毒液の噴霧を行える消毒液の噴霧器を提供する。【解決手段】高圧空気を送るコンプレッサーと消毒液を送るポンプとを有する。消毒液噴霧器本体には消毒液を霧状に噴霧する筒状噴霧ノズル部と、本体と連設用コード部を介して連接し消毒液を霧状に噴霧する噴霧ハンドガン部とを有する。【選択図】図１
0003171940.tif 000002
【実用新案登録請求の範囲】
【請求項１】
高圧空気を送るコンプレッサー１１と消毒液を送るポンプ２８,３８とを有する消毒液噴霧器であって、
該消毒液噴霧器本体１には消毒液を霧状に噴霧する筒状噴霧ノズル部２と、該本体１と連設用コード部３２を介して連接し消毒液を霧状に噴霧する噴霧ハンドガン部３とを有することを特徴とする消毒液噴霧器。
【請求項２】
筒状噴霧ノズル部２と噴霧ハンドガン部３とがセレクタースイッチ５を介していずれか一方の噴霧を可能とすることを特徴とする請求項１記載の消毒液噴霧器。
【請求項３】
筒状噴霧ノズル部２が本体１より上部方向に突出して設置することができると共に、収納時には本体１内に収納できることを特徴とする請求項１又は２のいずれかに記載の消毒液噴霧器。
【請求項４】
高圧空気を送るコンプレッサー１１と消毒液を送るポンプ２８,３８とによりそれぞれ筒状噴霧ノズル部２と噴霧ハンドガン部３とに高圧空気と消毒液を送るものであり、
筒状噴霧ノズル部２と噴霧ハンドガン部３とに高圧空気を送るそれぞれのパイプ部２３,３３にはそれぞれ電磁弁２７,３７を有し、
筒状噴霧ノズル部２と噴霧ハンドガン部３とに消毒液を送るそれぞれのパイプ部２４,３４にもそれぞれポンプ２８,３８を有し、
筒状噴霧ノズル部２の電磁弁２７とポンプ２８をリレー４０を介し制御すると共に、噴霧ハンドガン部３の電磁弁３７とポンプ３８をリレー４１を介して制御するものであることを特徴とする請求項１又は２のいずれかに記載の消毒液噴霧器。
【請求項５】
筒状噴霧ノズル部２の電磁弁２７とポンプ２８の制御に際してタイマーを用いてオンオフを一定間隔で切り替えることができることを特徴とする請求項４に記載の消毒液噴霧器。
【請求項６】
消毒液噴霧器には消毒液を霧状に噴霧する筒状噴霧ノズル部２と、該本体１と連設用コード部３２を介して連接する噴霧ハンドガン部３との内、いずれか一のみを有することを特徴とする請求項１、３又は５のいずれに記載の消毒液噴霧器。
【考案の詳細な説明】
【技術分野】
【０００１】
本考案は、消毒液の噴霧器に関し、より具体的には本体から突出して設置可能な筒状噴霧ノズル部を有する本体に更に噴霧ハンドガン部を有し、いずれかの噴霧部を任意に選択して使用することのできる噴霧器に関する。
【背景技術】
【０００２】
噴霧器に関しては、水を霧状にして室内において噴霧する加湿器等は従来から使用されている。
しかし、これは乾燥防止を図るものであり、一定時間や任意の湿度になった場合に稼働する噴霧器として使用されている。
この他、特に他の液材を噴霧する等に関しては農薬の散布や鎮火を図るための消毒液の散布などを図るものも存在する。
【０００３】
更に、室内において手先等を消毒するための噴霧器も多用されているものである。
従って、消毒液の噴霧器は存在しているものである。
しかし、室内における消毒を目的としているものは、特定のものしか存在していない。
即ち、天井等に設置して固定したスプリンクラー等を用いて消毒液を噴霧するものが存在する。
（特開２０００−５２８６）
これは室内の必要個所にスプリンクラー状の噴霧器を予めボルトなどできっちりと固定して設置して用いるものである。
更には簡単に持ち運べるように小型のハンドガンタイプの噴霧器も存在し、（特開２０１０−２７４０１９）個人で持ち運んで必要時に噴霧することのできる噴霧器も存在する。
【先行技術文献】
【特許文献】
【０００４】
【特許文献１】特開２０００−５２８６号
【特許文献２】特開２０１０−２７４０１９号
【考案の概要】
【考案が解決しようとする課題】
【０００５】
以上の様に、室内の消毒を目的として消毒液を噴霧する機器は存在している。
即ち室内における除菌消毒を図り、人が集まる場所における衛生面での安全性を確保すると共に各種のにおい等や不快な印象を除去するために消毒液の噴霧を行うことが望まれ、そのための機器が前記のように提示されている。
【０００６】
しかし、まず、特許文献１の構成に関しては予めスプリンクラ―状の噴霧器を室内の任意位置に工事等により設置しておくことが必要であり、極めて大がかりである。
更にはその可動に際しては人等がいない深夜などに用いるものとなり、大勢の人間の集まる場所において、人数の集まった状態での消毒などは現実には使用できず、その使用範囲は限られてしまうものである。
【０００７】
更に特許文献２に示す構成は、小型で持ち運びやすい反面、このようなハンドガンタイプのものを個人でいつも所持して移動する等はほとんど不可能であり、現実的な使用に際してはほとんど用いられにくいものである。
又、小型であることから本人の周囲の極めて小さい範囲であれば効果が高いが、移動する場合や広い範囲をカバーする場合等においてはその効果はほとんど発揮できないものとなる。
【０００８】
以上より、広い範囲の室内において使用でき、その効果を有効に発揮できるものであることが必要であり、特に人が集まる場所において人のいる時も或いはいないときも使用できる消毒用の噴霧器が望まれるものである。
又、設置に際しても大がかりでなくかつ低廉で済む噴霧器の提供が望まれるものである。
更に、人が集まる場所において用いられることから見栄えが良く、かつ使用しても特段迷惑とならない構成が望まれるものである。
【課題を解決するための手段】
【０００９】
以上のように係る課題を見事に解決するものであり、係るため請求項１に係る考案は高圧空気を送るコンプレッサーと消毒液を送るポンプとを有する消毒液噴霧器であって、該消毒液噴霧器本体には消毒液を霧状に噴霧する筒状噴霧ノズル部と、該本体と連設用コード部を介して連接し消毒液を霧状に噴霧する噴霧ハンドガン部とを有する消毒液噴霧器からなるものである。
【００１０】
或いは請求項２に係る考案のように筒状噴霧ノズル部と噴霧ハンドガン部とがセレクタースイッチを介していずれか一方の噴霧を可能とする消毒液噴霧器からなり、係る考案を用いてもよい。
これらの場合請求項３に係る考案のように筒状噴霧ノズル部が本体より上部方向に突出して設置することができると共に、収納時には本体内に収納できる消毒液噴霧器を用いてもよい。
【００１１】
更に、請求項４に係る考案のように、高圧空気を送るコンプレッサーと消毒液を送るポンプとによりそれぞれ筒状噴霧ノズル部と噴霧ハンドガン部とに高圧空気と消毒液を送るものであり、筒状噴霧ノズル部と噴霧ハンドガン部とに高圧空気を送るそれぞれのパイプ部にはそれぞれ電磁弁を有し、筒状噴霧ノズル部と噴霧ハンドガン部とに消毒液を送るそれぞれのパイプ部にもそれぞれポンプを有し、筒状噴霧ノズル部の電磁弁とポンプをリレーを介し制御すると共に、噴霧ハンドガン部の電磁弁とポンプをリレーを介して制御するものである消毒液噴霧器からなるものであって、係る構成を有するものであってもよい。
【００１２】
この場合、請求項５に係る考案のように筒状噴霧ノズル部の電磁弁とポンプの制御に際してタイマーを用いてオンオフを一定間隔で切り替えることができる消毒液噴霧器を用いてもよい。
或いは請求項６に係る考案のように、消毒液噴霧器には筒状噴霧ノズル部と、噴霧ハンドガン部との内、いずれか一のみを有するものでもよく、これによって必要とする噴霧状態に応じて任意の噴霧部材を有する消毒液噴霧器の提供が行える。
【考案の効果】
【００１３】
以上のように構成したことから、まず請求項１に係る考案によって消毒液噴霧器として、本体には、消毒液を霧状に噴霧する筒状噴霧ノズル部と、該本体と連設用コード部を介して連接する噴霧ハンドガン部とを有するものであり、設置状態として筒状噴霧ノズル部を用いることができると共に、本体から離れた任意の場所に対して噴霧できる噴霧ハンドガン部とを有するものであり、いわゆる全体にむけての噴霧と共に所望の任意個所に対しての噴霧もできるものであり、連設用コード部により本体から離れた場所に対しての消毒液の噴霧も可能とする。
【００１４】
更に請求項２に係る考案によれば筒状噴霧ノズル部と噴霧ハンドガン部の切り替えをセレクタースイッチを介していずれか一方の噴霧を可能とするものであり、簡単かつ確実なる切り替えを行えるものとなり、必要な噴霧方法を特定して使用できるものとなる。
又請求項３に係る考案によれば筒状噴霧ノズル部が本体より上部方向に突出して設置することができるものであり、高い個所から広い範囲に対して噴霧することを可能とする。
【００１５】
又この筒状噴霧ノズル部は、本体内に収納することができるものであって収納時にはコンパクトかつ見栄えの良い収納を可能とする。
更に、請求項４に係る考案により、噴霧のための高圧空気を生成するコンプレッサーと消毒液を送るポンプとを有するものであり、それぞれ筒状噴霧ノズル部と噴霧ハンドガン部とに対して電磁弁とポンプをリレーを介して制御できるものとなる。
【００１６】
又、請求項５に係る考案によりタイマーを用いてオンオフを一定間隔で切り替えるものであり、必要な時間、必要な時に消毒液の噴霧を行えると共に、更には任意の時間間隔で噴霧と噴霧中止を交互に繰り返すこともできるものとなる。
或いは請求項６に係る考案により、消毒液噴霧器には筒状噴霧ノズル部と、噴霧ハンドガン部との内いずれか一のみを有するものでもよく、これによって必要とする噴霧状態に応じて任意の噴霧部材を有する消毒液噴霧器の提供が行える。
【図面の簡単な説明】
【００１７】
【図１】本考案に係る消毒液噴霧器の一例を示す図
【図２】本考案に係る消毒液噴霧器の収納状態の一例を示す図
【図３】本考案に係る消毒液噴霧器の一例の断面を示す図
【図４】本考案に係る消毒液噴霧器の一例の断面を示す図
【図５】本考案に係る消毒液噴霧器の配線状態の一例を示す図
【考案を実施するための形態】
【００１８】
図１は、本考案に係る消毒液噴霧器の一例を示す図であり、本体１から筒状噴霧ノズルが突出して構成されている。
この筒状噴霧ノズル部２は本体１から本体の上部方向に延伸してより上部より噴霧できるものである。
従ってこの筒状噴霧ノズル部２上部には噴霧用ノズル２１を有する。
このノズルによって本体内の圧縮空気を排出するコンプレッサーから送られた高圧空気を使用して消毒液を霧状に噴霧するものである。
【００１９】
これによって例えば室内の隅に設置した本体の筒状噴霧ノズル部２より消毒液を霧状に噴霧できることとなり、室内の除菌消毒などを可能とする。
特に霧状の極めて微細な粉末状として消毒液を噴霧することにより、室内に広く、かつほとんど気にならない状態で噴霧できるものとなる。
例えば７ミクロン程度の微細な粉末状の霧でも、或いは４ミクロン乃至１０ミクロン程度の微細な粉末状の霧として噴霧できる噴霧用ノズルを用いるものであってもよい。
【００２０】
尚、これは微細な霧状に噴霧できればよいものであり、前記した大きさは最適な実施状態の一例であり、この大きさに限定されるものではなく、より微細なものでも或いはより大粒のものを用いてもいずれでもよい。
噴霧に最適な大きさであればよいものである。
更に、この噴霧に関しては例えばタイマー等により短時間間隔で噴霧するもの等であってもよい。
一定時間内において噴霧状態とこの中止状態を交互に行うものとして、例えば数秒から数十分の間隔の間において噴霧し、数秒乃至数十分程度の後に再度噴霧する等の任意の時間間隔をおいて噴霧し、更に任意の時間噴霧するものであってもよく、この様に噴霧することも可能である。
【００２１】
この様に構成する筒状噴霧ノズル部は必要に応じて本体内に収納できるものである。
例えば、筒状の筒状噴霧ノズル部を本体内から使用時に引き出して突出した状態で一固定して噴霧を行い、更に使用終了時にはこの筒状噴霧ノズル部を本体内に収納するものであってもよい。
この場合この収納・突出設置に際して手動によって行うものでも任意のモーターなどを設置して自動的に移動するものであってもいずれでもよい。
更に本体には連設用コード部３２を介して噴霧ハンドガン部３を有する。
【００２２】
コード内３２には圧縮空気を送るパイプ部３３と消毒液を送るパイプ部３４と電気信号を送る電気コード部３５を有する。
更に噴霧ハンドガン部３にも前記と同様に噴霧用ノズル３１を有する。
このノズル３１によって本体内の圧縮空気を排出するコンプレッサー１１から送られた高圧空気を使用して消毒液を霧状に噴霧するものである。
これによって例えば任意個所に対して噴霧ハンドガン部３より消毒液を霧状に噴霧できることとなり、必要個所の除菌消毒などを可能とする。
特に霧状の極めて微細な粉末状として消毒液を噴霧することにより、任意個所に対して噴霧できるものとなる。
【００２３】
この場合においても、前記と同様に噴霧は微細な霧状に噴霧できればよいものであり、任意の大きさの霧状例えば微細な粉末状に消毒液を噴霧できればよい。
以上のようにこの様に構成することにより噴霧を噴霧ハンドガン部３で行うことができ、更に連設用コード部３２によって本体１から離れた位置に対して直接噴霧できることとなる。
特に殺菌消毒を希望する場所に対して、本体１を設置した場合でも任意位置に対して消毒液の噴霧を可能とするものである。
更に、噴霧ハンドガン部３にはトリガー部３６を有しており、該ハンドガン部３で噴霧の開始と停止とを制御できるものである。
【００２４】
図２は、図１に示す本考案に係る消毒液噴霧器の本体１内に筒状噴霧ノズル部２を収納すると共に、本体上部に噴霧ハンドガン部３と連設用コード部３２を収納している状態の一例を示す図である。
本図においては連設用コード部を凹み部に収納し噴霧用ハンドガン部３を上部に載置した状態の一例を示す。
もとより上部の任意個所に連設用コード部３２と噴霧用ハンドガン部３を収納するものでも或いは別途他の個所に収納するための収納部分を別部材などを用いて有するものであってもよい。
【００２５】
図３は、本考案に係る消毒液噴霧器の本体１の断面図の一例を示す図である。
本図に示す通り、本体１内には消毒液を収納する消毒液用水槽１０と、圧縮空気を送るためのコンプレッサー１１を有している。
消毒液用水槽１０には外部より消毒液を補充するための補充口とドレイン部１０１とを有している。
更に本体１内には筒状噴霧ノズル部２が収納されているが、必要に応じて外部に突出状態に延伸することができる。
筒状噴霧ノズル部２内には圧縮空気を送るパイプ部２２と消毒液を送るパイプ部２３とを有する。
更にこのノズル部２の先端方向には噴霧用ノズル２１を有する。
又、本体１上部は周囲に壁を有していわゆる上部が凹んだ状態としてあるものであり、この部分に噴霧用ハンドガン部３や連設用コード部３２等を必要に応じて外部から見えないように収納しておくことができる。
【００２６】
図４は、本考案に係る消毒液噴霧器の本体１の他の断面図の一例を示す図である。
本図に示す通り、本体１内部下部には消毒液用水槽１０を有しており、その上部にコンプレッサー１１を有している。
本体１内には筒状噴霧ノズル部２が収納されているが、必要に応じて外部に突出状態に延伸することができるものであり、必要時には外部に突出することも、又本体内に収納することもできる。
尚、本体底部には移動を容易にするためのキャスター１９が付いているものである。
【００２７】
図５は、本考案に係る消毒液噴霧器の配線状態の一例を示す図である。
まず、圧縮空気即ち高圧空気を排出するエアーコンプレッサー１１を有しており、この高圧空気はパイプ２３、３３を通ってそれぞれ筒状噴霧ノズル部２のノズル２１と噴霧用ハンドガン部３のノズル３１に送られる。
この場合、コンプレッサー１１より排出された高圧空気は、途中で分岐１６してそれぞれに向かうパイプに分かれる。
この分かれた後に電磁弁２７,３７によって制御されて必要なノズルにむけて送られる。
【００２８】
この電磁弁はリレー４０,４１によって制御されるものであり、セレクタースイッチ５により制御されるものとなる。
特に、本体に設置したセレクタースイッチ５によって基本的には制御されるものであり、筒状噴霧ノズル部２による噴霧か噴霧用ハンドガン部３による噴霧かを選択する。
この選択によって、いずれかの噴霧部によって噴霧されるものとなるが、更に噴霧用ハンドガン部３の場合にはトリガー３６に設置されているスイッチ部によっても制御されることとなる。
【００２９】
まず噴霧ハンドガン部３による噴霧を行う場合にはセレクタースイッチ５により噴霧ハンドガン部３を選択するものであり、これにより噴霧ハンドガン部の回路がつながり、噴霧ハンドガン部３による噴霧を可能とするものである。
即ち噴霧用ハンドガン部３のトリガー３６によりスイッチオン状態を感知して噴霧用ハンドガン部３の噴霧のためのリレー４１を介して電流を流すものであり、消毒液を噴霧のために送りこむチューブポンプ３８の可動とエアーを送り込むエアー用配管のパイプ部３３に配設した電磁弁３７を制御して噴霧を開始する。
更にトリガー３６を戻すことによりオフ状態となり、噴霧を終了する。
【００３０】
これに対して、セレクタースイッチ５により筒状噴霧ノズル部２による噴霧を選択した場合には、これによって筒状噴霧ノズル部２による噴霧のための回路がつながることとなる。
即ち筒状噴霧ノズル部２の回路のリレー４０を介して電流を流すものであり、消毒液を噴霧のために送りこむチューブポンプ２８の可動とエアーを送り込むエアー用配管のパイプ部２３に配設した電磁弁２７を制御して噴霧を開始する。
高圧空気に関してはエアーを送り込むパイプ部２３、３３を通して噴霧用の高圧空気を送るが、それぞれリレー４０,４１を介して電磁弁２７,３７の開閉を制御し、必要な状態時にこの高圧空気を送ることとなる。
【００３１】
従ってそれぞれの噴霧が行われるものである。
又、消毒液に関しては消毒液用水槽１０内の消毒液を噴霧用ハンドガン部３と筒状噴霧ノズル部２とに対して送るものであるが、其々消毒液を送るためのパイプ部２４,３４を介して送られるが該パイプ部には更にそれぞれポンプ２８,３８を有している。
このポンプをそれぞれリレーを介して可動させることにより必要な方に対して消毒液を送り込むものである。
従ってスイッチが入った状態で必要な噴霧部に対してエアーコンプレッサー１１による高圧空気の送り込みとポンプ２８,３８による消毒液の送り込みがなされる。
【００３２】
これにより、必要な噴霧部即ち筒状噴霧ノズル部２による噴霧と噴霧用ハンドガン部３による噴霧とを任意に選択でき、必要な方により噴霧ができることとなる。
尚、必要に応じてタイマー機能を設けることにより例えば筒状噴霧ノズル部からの噴霧を任意の時間間隔で行うことができると共に電磁弁の開閉をより細かく制御すれば噴霧量の制御等も可能である。
特に筒状噴霧ノズル部２を制御するリレー４０にタイマーリレー等のタイマーを用いることにより可能となる。
【００３３】
前記のように例えば数秒乃至数十分程度噴霧を行い、数秒乃至数十分程度停止し、更に任意時間噴霧する等を繰り返すことも可能となり、オンオフを任意時間をもって切りかえることができるものである。
尚、消毒液用水槽１０には消毒液の注入口１０２とドレイン部１０１とを有している。
更に本図面上においては、いずれも筒状噴霧ノズル部２と噴霧用ハンドガン部３とを消毒液噴霧器本体に有する構成を主に明示したものであるが、更に別の異なる噴霧部材を有しているものであってももちろんよい。
例えば他の噴霧ノズル部を有するものであってもよい。  
或いは筒状噴霧ノズル部と噴霧用ハンドガン部を複数有するものであってももちろんよいものである。
更に本考案に係る消毒液噴霧器はこれらの他、筒状噴霧ノズル部と噴霧用ハンドガン部とのうち、いずれか一方のみを有するものであってももちろんよい。
最も必要な噴霧用ノズルを有する噴霧部材を有すればよいものである。  更に６は電源供給部である。
尚、本考案に示す消毒液噴霧器はいずれもキャスター１９を有しており、任意個所に簡単に該本体を移動できる程度小型のものである。
【００３４】
従って必要に応じて任意位置に簡単に設置できると共に、更に使用終了後には他の保管場所に簡単にしまうことのできるものである。
以上のように構成したものであり、室内や他の特定の封鎖空間、例えば電車内や飛行機内等において必要な殺菌消毒を行うことができ、特に小型の消毒液噴霧器をもって使用できるものとなる。
更には、例えば人がいない状態での殺菌や消毒或いはにおい消しなどができる他、人がいるような場合においても十分に殺菌消毒用の消毒液の噴霧を可能とするものである。
【符号の説明】
【００３５】
１      消毒用噴霧器本体
１０      消毒液用水槽
１０１  ドレイン部
１０２  消毒液の注入口
１１    コンプレッサー
１９    キャスター
２      筒状噴霧ノズル部
２１    噴霧用ノズル
２３    パイプ部
２４    パイプ部
２７    電磁弁
２８    チューブポンプ
３      噴霧用ハンドガン部
３１    噴霧用ノズル
３２    連設用コード部
３３    パイプ部
３４    パイプ部
３５    電気コード部
３６    トリガー部
３７    電磁弁
３８    チューブポンプ
４０    リレー
４１    リレー
５      セレクタースイッチ
６      電源供給部
【図１】
0003171940.tif 000003
【図２】
0003171940.tif 000004
【図３】
0003171940.tif 000005
【図４】
0003171940.tif 000006
【図５】
0003171940.tif 000007